(57)【特許請求の範囲】
【請求項１】
システムプラグコネクタであって、第１の保持フレーム（１０）から形成されていて、該第１の保持フレーム（１０）内において電気的なコンタクトが、別体のプラグモジュール（４０）内に保持されており、第１の保持フレームが、該第１の保持フレームを取り囲むハウジング（３）を用いて環境条件に対して保護されており、第１の保持フレーム（１０）におけるプラグモジュール（４０）が、第２の保持フレーム（２０）に保持されているプラグモジュール（４０′）と接触接続するようになっている形式のものにおいて、
第１の保持フレーム（１０）内及び第２の保持フレーム（２０）内にそれぞれ、プラグモジュール（４０，４０′）を保持するための装置を備えた方形貫通部（１１，２１）が設けられており、該方形貫通部（１１，２１）の貫通方向に、プラグモジュール（４０，４０′）が挿入されて、該方形貫通部（１１，２１）内に配置されるようになっており、
該方形貫通部（１１，２１）内に各１つのプラグインサート（３０，３０′）が配置されていて、該プラグインサート（３０，３０′）の内部においてプラグモジュール（４０，４０′）が保持フレーム（１０，２０）内に方形貫通部（１１，２１）の貫通方向に挿入可能であり、かつ方形貫通部（１１，２１）内において固定可能に配置することができ、
プラグモジュール（４０，４０′）が、両方のプラグモジュール（４０，４０′）が互いに接続される側である差込み側及び、ケーブル接続側の両側から、プラグインサート（３０，３０′）の内部において方形貫通部（１１，２１）内に挿入可能であることを特徴とする、システムプラグコネクタ。
【請求項２】
プラグインサート（３０）は、別体のＵ字形の導電部材として形成されていて、保持フレーム（１０，２０）の方形貫通部（１１，２１）内における３つの側部に接触している、請求項１記載のシステムプラグコネクタ。
【請求項３】
プラグインサート（３０）は、保持フレーム（１０，２０）における切欠き（１２）内に外方に向かって作用する係止舌片（３３）と保持フレーム（１０，２０）の角隅領域から突出しているピン（１６，２６）とを用いて、方形貫通部（１１，２１）内において固定されている、請求項１又は２記載のシステムプラグコネクタ。
【請求項４】
プラグインサート（３０）は、Ｕ字形に方向付けられたサイドフレーム（３１）においてそれぞれ上縁部（３２）及び下縁部（３２）に、互いに平行に配置されていてサイドフレーム（３１）の中心を向いていて片持ち式に突出している２つの舌片（３４）を有しており、該舌片（３４）の互いに間隔をおいて位置する舌片端部（３５）が、方形貫通部（１１，２１）内に曲げられている、請求項１から３までのいずれか１項記載のシステムプラグコネクタ。
【請求項５】
プラグモジュール（４０）はその狭幅側（４１）に、溝（４４）によって互いに間隔をおいて位置する各２つの横方向リブ（４３）を有しており、さらに各２つの長手方向リブ（４５）が、狭幅側（４１）における上縁部及び下縁部に配置されており、長手方向リブ（４５）は、狭幅側（４１）の幅に関して非対称的に配置されている、請求項１から４までのいずれか１項記載のシステムプラグコネクタ。
【請求項６】
保持フレーム（１０，２０）の方形貫通部（１１，２１）内に、互いに向かい合って配置された滑りレール（１４，１４′，２４，２４′）が形成されており、該滑りレール（１４，１４′，２４，２４′）内にそれぞれ、プラグモジュール（４０）の横方向リブ（４３）の間における溝（４４）が係合していて、保持フレーム内におけるプラグモジュールの横方向移動を可能にする、請求項１から５までのいずれか１項記載のシステムプラグコネクタ。
【請求項７】
１つの態様では、プラグモジュール（４０′′）が保持フレーム（１０，２０）におけるプラグインサート（３０）の領域においてだけ、差込み方向において又は該差込み方向とは逆方向において、方形貫通部（１１，２１）内に差込み可能であり、この場合広幅の横方向リブ（４３′）が形成されていることによって滑りレール（１４，２４）に沿った移動が阻止されている、請求項１から６までのいずれか１項記載のシステムプラグコネクタ。
【請求項８】
導電性のプラグインサート（３０）に保護導体を接触接続するために、コンタクト舌片（３８，３８′）が設けられており、該コンタクト舌片（３８，３８′）は、圧着端子（５６）又はリッツ線のための接続エレメント（５８）と接続可能である、請求項２記載のシステムプラグコネクタ。
【請求項９】
保持フレーム（１０，２０）内に機械式のコード化装置が設けられており、該コード化装置は、互いに無関係に独立して回転可能な２つの五角柱のポスト（６０）を備えていて、該五角柱のポスト（６０）は相応な五角形の凹部内に進入していて、これによって差込み接続時に半分割された２つのポストを組み合わせることができ、かつ同様に構成されたプラグコネクタ用の識別目印を得ることができる、請求項１から８までのいずれか１項記載のシステムプラグコネクタ。
【発明の詳細な説明】
【技術分野】
【０００１】
本発明は、システムプラグコネクタであって、第１の保持フレームから形成されていて、該第１の保持フレーム内において電気的なコンタクトが、別体のプラグモジュール内に保持されており、第１の保持フレームが、該第１の保持フレームを取り囲むハウジングを用いて環境条件に対して保護されており、第１の保持フレームにおけるプラグモジュールが、第２の保持フレームに保持されているプラグモジュールと接触接続するようになっている形式のものに関する。
【０００２】
このようなシステムプラグコネクタは、その組立てを簡単化するように設計されていて、これによりハウジング内にプラグモジュールを備えたプラグコネクタを、工業環境に対する要求に合わせて構成することができる。
【０００３】
従来の技術
ＥＰ０８６０９０６Ｂ１に基づいて、プラグコネクタハウジング内に組み込まれるプラグコネクタモジュール用の保持フレームが公知であり、この保持フレームは、互いに枢着的に結合された半部から成る組立てフレームを有していて、その中にプラグコネクタモジュールが挿入可能である。
【０００４】
さらにＵＳ７３１６５９１Ｂ２に基づいて公知のプラスチック製の保持フレームでは、並んで配置される複数のプラグモジュールが、スリットによって隔てられた壁セグメントの間において保持される。
【０００５】
このような公知の保持フレームにおける欠点としては、これらの保持フレームが常に別のハウジング内に挿入され、かつそこでねじ結合されねばならない、ということが挙げられる。この場合さらに、電流経路方向に、ひいてはプラグモジュールにおいて使用されるコンタクトの組付け方向にも注意を払う必要があり、しかも常にプラグハウジングへの保持フレームの取付け方向が所定されている。
【０００６】
本発明の課題
ゆえに本発明の課題は、別体の固定手段を使用する必要がなく、コンタクトを備えたモジュールの組付けを、各プラグ部分の差込み側からも接続側からも行うことができ、しかも電流経路方向もまた原則的にはコンタクト形成とは無関係であるような、プラグコネクタハウジング構造を提供することである。
【０００７】
この課題を解決するために本発明の構成では、第１の保持フレーム内及び第２の保持フレーム内にそれぞれ、プラグモジュールを保持するための装置を備えた方形貫通部が設けられており、該方形貫通部内に各１つのプラグインサートが配置されていて、該プラグインサートの内部においてプラグモジュールが保持フレーム内に挿入可能であり、かつ方形貫通部内において固定可能に配置することができ、プラグモジュールが両側において、差込み側から及び接続側から方形貫通部内に挿入可能であるようにした。
【０００８】
本発明の有利な態様は、従属請求項に記載されている。
【０００９】
本発明はシステムプラグコネクタであって、このシステムプラグコネクタは、プラグモジュール内に含まれたコンタクトを有していて、プラグモジュールは保持フレーム内に、差込み可能及び交換可能に保持されている。保持フレームのうちの１つはフランジ付フレームとして、給電される機器に堅く取り付けられるのに対して、第２の保持フレームはプラグハウジングによって環境条件に対して保護されていて、相応な電機ケーブルによって可動に、組み込まれた保持フレームと接続可能である。
【００１０】
しかしながらまたそれとは無関係に、２つのケーブルプラグによる差込み接続も可能である。
【００１１】
類似のプラグコネクタ構造ではプラグモジュールが最初に、特別な別体のフレーム内において保持され、このフレームは、そのために設けられた別のハウジング部分内においてねじ結合されるのに対して、本発明の構成はフレームを有していて、このフレームは保持フレームやハウジングフレームと同様にプラグモジュールを保持するために使用可能であり、かつ／又はプラグハウジングと結合可能である。
【００１２】
両方の保持フレームはしかしながら、内部に挿入されるプラグモジュールを受容するために同じシステムを有している。
【００１３】
そのために保持フレームはそれぞれプラグインサートを有していて、このプラグインサートは３つの側に相応な係止兼接触輪郭を備えていて、１つの側において保持フレームにおける方形貫通部の内部において固定されている。
【００１４】
プラグインサートのＵ字形に屈曲されたサイドフレームには、それぞれ上縁部及び下縁部に結合された舌片が成形されており、これらの舌片の端部は互いに間隔をおいて位置していて、かつ斜めに方形貫通部内に向かって方向付けられている。
【００１５】
プラグモジュールは有利には長手方向リブを有しており、これらの長手方向リブを用いて、プラグモジュールはまず初めに、プラグインサートの舌片の間において保持フレーム内に挿入可能であり、次いで、プラグモジュールに成形された横方向リブを用いて、保持フレームにおいて横方向（差込み方向に対して垂直な方向）に成形された滑りレールに沿って移動させることができる。この場合方形貫通部は最終的にはプラグモジュールによって完全に満たされる。そしてこの挿入動作は工具を用いずに実施される。
【００１６】
１つのプラグコネクタの内部におけるプラグモジュールの方向付けは、プラグインサート及び保持フレームにおいて鏡像的に行うことができるので、各プラグインサートは、プラグモジュールが単に差込み方向において回転させられて方形貫通部内に挿入可能であるように、設計されている。
【００１７】
さらに有利には、プラグモジュールは両側から各保持フレーム内に挿入可能であり、つまり対応プラグを備えた本来の差込み側からも、ケーブル接続側からも挿入可能である。
【００１８】
本発明によるプラグインサートの別の利点としては、プラグインサートが、ＰＥ接続を工具なしに極めて簡単な形式で、つまり保護導体への伝達を、適正に保証するための装置をも有している、ということが挙げられる。この場合１つの態様では、導電体が圧着端子で差込み可能にプラグインサートと接続されており、また別の態様では、リッツ線として形成された導電体が、直に、既に公知の装置を用いて差込み可能及び接触接続可能である。
【００１９】
次に図面を参照しながら本発明の実施の形態を説明する。
【図面の簡単な説明】
【００２０】
【図１】システムプラグコネクタを分解して示す斜視図である。
【図２】プラグインサートを備えた１つのハウジングフレームを示す斜視図である。
【図３ａ】図２に示したハウジングフレームの内部における１つの角隅部分を示す図である。
【図３ｂ】図２に示した、プラグインサートを備えたハウジングフレームの１つの角隅部分を示す図である。
【図４ａ】互いに上下に配置された２つのプラグインサートを示す図である。
【図４ｂ】２つのプラグインサートの互いに上下に配置された２つのサイドフレームを示す図である。
【図４ｃ】プラグモジュールを挿入された、プラグインサートのサイドフレームを示す図である。
【図５】２つのプラグモジュールを備えた互いに上下に配置された２つのハウジングフレームの１つの角隅部分を示す斜視図である。
【図６】択一的な２つのＰＥ接続エレメントを備えた１つのハウジングフレームの一部を示す斜視図である。
【図７】２つのプラグモジュールを示す斜視図である。
【図８】プラグモジュール用の取外し工具を示す斜視図である。
【図９】プラグモジュールの１つの態様を示す斜視図である。
【図１０】１つのプラグモジュールと１つの五角柱形のコード化装置とを備えた保持フレームを上から見た平面図である。
【００２１】
図１にはシステムプラグコネクタが、プラグハウジング３と第１のハウジングフレーム１０と、フランジ付フレームとして形成された第２のハウジングフレーム２０とに分解されて、斜視図で示されている。
【００２２】
一方のハウジングフレームは、自立式の第１の保持フレーム１０として形成されていて、特にその内部に組み込まれた係止ユニット４を有しており、この係止ユニット４の機構は押しボタン・回転ボタン技術（Druck- und Drehknopf Technik）を用いて解除されている。
【００２３】
保持フレーム１０の方形貫通部１１の内部には、複数のプラグモジュール４０が配置されており、これらのプラグモジュール４０は、保持フレーム１０に適合する第２の保持フレーム２０のプラグモジュール４０′と接続されている。
【００２４】
この場合フランジ付フレームは、任意のユニットに、例えばクランクケース又はキャビネットハウジングに定置に取り付けられ、ハウジングフレーム（保持フレーム１０）を備えた可動のシステムプラグコネクタは、定置のフランジ付フレーム（第２の保持フレーム２０）と結合することができる。
【００２５】
各保持フレーム１０，２０は、プラグモジュール４０，４０′を挿入もしくは装着するために形成されていて、半円形のプラグハウジング３内への取付けのために又はハウジングにおける開口部に対して相応な輪郭を備えて構成されている。
【００２６】
この場合第２の保持フレーム２０として形成されたフランジ付フレームは、カラーを備えた環状のフランジ２２を有しており、このフランジ２２には環状のシールリング２３が、環境条件に対してプラグコネクタを確実にシールするために配置されている。さらに差込み側６とケーブルの接続側７とが示されている。
【００２７】
図２に示されたシステムプラグコネクタの保持フレーム２０は、中にプラグインサート３０が挿入されている目立った方形貫通部２１を、環状のフランジ２２の内部に備えている。
【００２８】
この場合プラグインサート３０は、直角に屈曲されたサイドフレーム３１を備えたＵ字形の部材として、保持フレームにおける狭幅のサイド領域の１つに係止されている。
【００２９】
図３ａには、保持フレーム２０の角隅領域が断面されて、差込み側６が斜視図で示されている。
【００３０】
この角隅領域は、プラグインサート３０の取付け及びシステムの機能性のために貢献する複数の形態を示している。このような取付け及び機能のために役立つ部材としては例えば、分極レール２６′を備えた部分的に突出したピン２６や、切欠き２９及び正方形の隆起部１３がある。
【００３１】
図３ｂにも方形貫通部の内部における同様な角隅領域が示されており、ここには、導電部分として形成されたプラグインサート３０が設けられていて、このプラグインサート３０は係止舌片３３及びピン２６を用いて保持されている。
【００３２】
プラグインサート３０はここでは差込み側６から、つまり上から方形貫通部２１内に挿入される。
【００３３】
この場合プラグインサート３０はその角隅領域においてそれぞれ、一体成形されたピン２６のうちの１つの後ろに押し込まれ、かつ同時に、保持フレーム２０の切欠き２９において係合する係止舌片３３を用いて保持され、その結果プラグインサート３０のさらなる移動が阻止される。
【００３４】
図４ａには２つのプラグインサート３０，３０′が斜視図で示されており、この場合両プラグインサート３０，３０′は、差し込まれたシステムにおいて保持フレーム１０，２０内に配置されている。プラグインサート３０′は単に鏡像的な相違だけを示す。
【００３５】
サイドフレーム３１にはそれぞれ２つの舌片３４が一体成形されており、これらの舌片３４は、上側及び下側のフレーム縁部３２から内方に向かって方向付けられており、これらの舌片３４の舌片端部３５は、互いに間隔をおいて位置していて、方形貫通部１１の内室内に向いている。
【００３６】
第１の保持フレーム１０においても同様であるが、保持フレーム２０の長辺側には、丸み部を有する正方形に形成された隆起部１３が設けられていて、この隆起部１３はサイドフレーム３１に設けられた舌片３４の間の中心に進入しており、これによって事実上、プラグインサート３０，３０′の４つの舌片端部３５の画定部を成しており、隆起部１３はまた同時に、プラグモジュール４０の挿入後に保持フレーム１０又は２０の内部において鉛直方向の移動から水平方向への移動に切り換わる際の切換え点となる。
【００３７】
さらにプラグインサート３０，３０′の少なくとも１つの側には、波形に形成されたコンタクト舌片３７が設けられており、これらのコンタクト舌片３７は、両ハウジングフレーム１０，２０の組立時にそれぞれプラグインサート３０，３０′同士を接触接続させる。
【００３８】
図４ｂから分かるように、舌片３４は両保持フレーム１０，２０のためのプラグインサート３０，３０′のサイドフレーム３１に配置されていて、ここでは上に示されたサイドフレーム３１がその外側に分極溝３９（この分極溝は真ん中の溝３９′と正確に同じ幅を有している）を示し、これに対して下側のサイドフレーム３１では、分極溝３９は内側に位置していて角隅の近傍に配置されている。
【００３９】
両方の溝３９，３９′には、プラグモジュール４０の狭幅側に一体成形された長手方向リブ４５が挿入される。
【００４０】
そのために図４ｃには、プラグモジュール４０から長手方向リブ４５と横方向リブ４３とが両プラグインサート３０，３０′のサイドフレーム３１内にどのように係合するかが示されている。
【００４１】
プラグモジュール４０はそれぞれ、短い長手方向リブ４５を狭幅側４１の縁部に有し、かつ狭幅側のほぼ真ん中に、溝４４によって互いに間隔をおいて位置する２つの横方向リブ４３を有している。
【００４２】
両保持フレーム１０，２０への装着のために、プラグモジュール４０はまず初めに各保持フレームに対して垂直に、プラグインサート３０の領域において長手方向リブ４５を用いて挿入されかつ案内され、次いでプラグモジュール４０は、横方向リブ４３もしくはその間に配置された溝４４を用いて、保持フレーム１０，２０の内部において互いに向かい合って位置している一体成形された２つの滑りレール１４，１４′；２４，２４′に沿って、方形貫通部１１，２１におけるストッパに達するまで移動させられる。
【００４３】
舌片３４の間及び分極溝３９，３９′内への長手方向リブ４５の係合によって、まず、導入されるプラグモジュール４０の間違いのない分極（Polarisation）のための可能性が保証されている。この場合長手方向リブ４５は、原則的に類似の又は同一のプラグモジュール４０，４０′の狭幅側４１に、モジュールハウジングの幅に対して非対称的に一体成形されている。
【００４４】
さらに、間違いを防止された差込みのために、保持フレーム１０，２０におけるピン１６，２６のうちの１つには、付加的に成形された分極レール１６′，２６′が設けられていて、この分極レール１６′，２６′は誤った差込みを阻止する。なぜならば、この領域のためにプラグモジュール４０，４０′の狭幅側は、向かい合って位置する側、つまりピン１６，２６が付加的に一体成形されたレールを有していない側よりも、より狭幅に形成されているからである（図３ｂ、図１０参照）。
【００４５】
さらに図１０から分かるように、例えば滑りレール２４，２４′は互いに異なった長さを有しており、その結果プラグモジュールの正しい狭幅側だけをピン２６と長い方の滑りレール２４との間における相応な切欠き内に挿入することができる。
【００４６】
これによって、互いに差し合わされたそれぞれの保持フレームにおいて、互いに向かい合って位置するように配置された２つのプラグモジュールを、取り違えられて差し込むことは確実に不可能となり、かつこれにより構成部材又は装置の損傷を確実に阻止することが保証されている。
【００４７】
図５には、保持フレーム１０，２０の一部が部分的に断面されて斜視図で示されており、この斜視図には、２つのプラグモジュール４０，４０′が互いに１８０°回転させられて両保持フレーム１０，２０内に挿入されている様子が示されている。ここではプラグインサートのサイドフレームの一方は示されていない。
【００４８】
図５において、プラグモジュール４０，４０′の狭幅側４１においてそれぞれずらされて配置された長手方向リブ４５を、明瞭に認識することができる。
【００４９】
またさらに分かるように、プラグモジュール４０は、鉛直方向の挿入後に、溝４４と、該溝４４を隔てる横方向リブ４３とを用いて水平方向で、滑りレール１４，１４′又は２４，２４′に沿って移動させることができる。
【００５０】
プラグコネクタの内部における上に述べたＰＥ保護導体の保護作用を引き渡すためもしくはさらに導くために、図６に示されているように、プラグインサート３０には保護導体の各１つの特殊な接続部が設けられている。
【００５１】
この場合一方では、圧着端子５６を相応な導電体と結合させる可能性、この圧着端子５６を、例えば保持フレーム１０における正方形の切欠き１７に導入する可能性、及びプラグインサート３０を、該プラグインサートからＵ字形に曲げられた２つのコンタクト舌片３８を用いて接触接続させる可能性がある。
【００５２】
かつ他方では、保持フレーム１０に別の方形の切欠き１８が設けられており、この別の切欠き１８には、既に公知でありかつ他においても使用されている接続エレメント５８が導入可能であり、この接続エレメント５８は、リッツ線として公知である導電体の接触接続のために設けられている。
【００５３】
そのためにまた、Ｕ字形に形成された２つのコンタクト舌片３８′がプラグインサート３０に設けられており、これらのコンタクト舌片３８′は、接触接続のために接続エレメント５８内に達している。
【００５４】
ＰＥ接触接続のための両方の接続は、それぞれ第１の保持フレーム１０及び第２の保持フレーム２０（ここでは図示せず）のケーブル接続側７を介して行われている。
【００５５】
図７には、２つのプラグモジュール４０，４０′の１実施形態が示されており、この場合第１のプラグモジュール４０はピンコンタクト５５を有し、第２のプラグモジュール４０′は見えないがソケットコンタクトを有している。この場合ソケットコンタクトを備えた第２のプラグモジュール４０′は、カラー４７を有しており、このカラー４７は、ピンコンタクト５５との接触接続のために第１のプラグモジュール４０の対応する切欠き４８内に挿入可能である。
【００５６】
さらに別の実施形態では、２つのプラグモジュールがピンコンタクト又はソケットコンタクトを備えていて、別個に製造されたアダプタが同様にカラー状に形成されていて、このアダプタが、プラグモジュールのうちの１つに係止作用をもって装着されるようになっている。そのためにこのアダプタは、両プラグモジュールにおけるコンタクトに対してそれぞれ逆のコンタクトを備えている。
【００５７】
保持フレーム１０，２０のうちの１つから単数又は複数のプラグモジュール４０を除去するためには、図８に示されているように、Ｕ字形の取外し工具５０が必要である。
【００５８】
この取外し工具５０の、プラグモジュール４０，４０′の狭幅側４１に対して平行に曲げられたサイド湾曲部５２は、プラグインサート３０に挿入されたプラグモジュール４０，４０′の狭幅側に被せ嵌められる。
【００５９】
その際にプラグインサート３０における舌片３４は外方に向かって曲げられ、その結果横方向リブ４３における舌片３４の係止がプラグモジュール４０，４０′から解除され、プラグモジュール４０，４０′はプラグインサート３０から、ひいては各保持フレームから除去可能である。
【００６０】
取外し工具５０を用いて舌片３４の係止を解除できるようにする前に、隣接して位置するプラグモジュール４０′は、取外しのためにまずは横方向で、プラグインサート３０の領域に移動させられねばならない。
【００６１】
この場合、プラグモジュールは選択的に両側において各フレームから引き出すことができるようになっている。
【００６２】
つまりプラグモジュールの引出しは、各保持フレーム１０，２０の差込み側６に向かってか又は逆に接続側７に向かって行うことができる。
【００６３】
さらに第２実施形態では、プラグモジュール４０′′は図９に示されているように、特定の使用例のために保持フレーム１０，２０の内部において横方向に移動できるようにはなっておらず、プラグインサート３０の領域においてだけ、差込み方向に又はそれとは逆方向に挿入又は取出しができるようになっている。
【００６４】
そのために、モジュールの狭幅側における両横方向リブは、１つの横方向リブ４３′にまとめられており、その結果滑りレール１４，１４′，２４，２４′に沿った移動のために働く溝は存在しない。
【００６５】
このプラグコネクタの両保持フレーム１０，２０にはさらに、２つの五角柱のポストを備えた機械式のコード化装置が設けられており、これによって組立て時において同様なプラグコネクタハウジングが複数ある場合に、正確な差込みのための識別目印を得ることができる。
【００６６】
そのために各保持フレーム１０，２０には差込み側に、図１０に示されているように、少なくとも１つの、五角形のコード化ポスト６０が設けられており、このコード化ポスト６０はそれぞれ半分に、つまり真ん中で長手方向に分割されていて、相互に合う特定の角度において（又は合わない角度においても）差込み可能であり、その結果互いに合う角度位置だけが両ハウジング部分の差込みを可能にする。
【００６７】
この場合種々様々な角度位置に対して数字シンボルが設けられており、これらの数字シンボルは、２つの部分から成るコード化システムが設けられている場合には、第１のポストのためには０〜４の数字が、かつ第２のポストのためは５〜９の数字がナンバリングされている。これによって２５までの組合せが可能である。
【００６８】
フランジ付フレームとして形成された保持フレーム２０の平面図では、１つのプラグモジュール４０を内部に挿入されたプラグインサート３０が示されている。
【符号の説明】
【００６９】
１  システムプラグコネクタ、  ３  ハウジング、  ４  係止ロック機構、  ６  差込み側、  ７  接続側、  １０  第１のハウジングフレーム、保持フレーム、  １１  方形貫通部、  １３  隆起部、  １４，１４′  滑りレール、  １５  長手方向ウェブ、  １６  ピン、  １６′  分極レール、  １７  切欠き、  １８  切欠き、  ２０  第２のハウジングフレーム、保持フレーム、  ２１  方形貫通部、  ２２  フランジ、  ２３  シールリング、  ２４，２４′  滑りレール、  ２５  開口、  ２６  ピン、  ２６′  分極レール、  ２７  切欠き、  ２８  切欠き、  ２９  切欠き、  ３０，３０′  プラグインサート、  ３１  サイドフレーム、  ３３  係止舌片、  ３４  舌片、  ３５  舌片端部、  ３６  曲げられた爪、  ３７  コンタクト舌片、  ３８，３８′  コンタクト舌片、  ３９  分極溝、  ３９′  真ん中の溝、  ４０，４０′，４０′′  プラグモジュール、  ４１  狭幅側、  ４２  長辺側、  ４３，４３′  横方向リブ、  ４４  溝、  ４５  長手方向リブ、  ４７  カラー、  ４８  切欠き、  ５０  取外し工具、  ５１  Ｕ字形の湾曲部材、  ５２  長手方向スリットを備えたサイド湾曲部、  ５５  ピンコンタクト、  ５６  圧着端子、  ５８  接続エレメント、  ６０  コード化ポスト
【図１】
0005615378.tif 000002
【図２】
0005615378.tif 000003
【図３ａ】
0005615378.tif 000004
【図３ｂ】
0005615378.tif 000005
【図４ａ】
0005615378.tif 000006
【図４ｂ】
0005615378.tif 000007
【図４ｃ】
0005615378.tif 000008
【図５】
0005615378.tif 000009
【図６】
0005615378.tif 000010
【図７】
0005615378.tif 000011
【図８】
0005615378.tif 000012
【図９】
0005615378.tif 000013
【図１０】
0005615378.tif 000014